(57)【要約】【課題】装置の大型化を抑えることができながら、こしの強いシートも良好に搬送することができる、画像読取装置およびシート搬送装置を提供する。【解決手段】画像読取装置１は、第１状態において筐体２を支持する第１支持部９１Ａ，９１Ｂ，９１Ｃおよび９１Ｄと第２状態において筐体２を支持するように第２支持部１０１Ａおよび第２支持部１０１Ｂとを備えている。筐体２は、第１状態において、シート搬送路４３が水平方向に対して傾斜するため、画像読取装置１の大型化を抑えることができる。筐体２は、第２状態において、シート搬送路４３が第１状態よりも水平方向に近づく。このとき、シート排出の際に、本体部１０が設置されている床面などにシートＳＳの先端部が搬送方向に衝突することが回避され、こしの強いシートＳＳを良好に搬送することができる。【選択図】図２Ｃ
2014086819.tif 000002
【特許請求の範囲】
【請求項１】
シートが搬送されるように構成される直線状の搬送路が形成された筐体と、
前記シートを前記搬送路において搬送するように構成される搬送部材と、
前記シートの画像を読み取るように構成される読取部と、
前記搬送路が水平方向に対して傾斜する第１状態において、前記筐体を支持するように構成される第１支持部と、
前記第１状態よりも前記搬送路が前記水平方向に近づく第２状態において、前記筐体を支持するように構成される第２支持部とを備える、画像読取装置。
【請求項２】
前記第２支持部は、前記第１支持部により前記第１状態の前記筐体が支持される第１位置と、前記第２状態の前記筐体を支持する第２位置とに移動可能に設けられている、請求項１に記載の画像読取装置。
【請求項３】
前記第２支持部は、前記筐体の底面に設けられ、前記第１位置で前記筐体内に収容され、前記第２位置で前記筐体の前記底面から下方に突出する可動脚である、請求項２に記載の画像読取装置。
【請求項４】
前記可動脚を前記第２位置から前記第１位置に向かう方向に付勢するように構成される付勢部材を備える、請求項３に記載の画像読取装置。
【請求項５】
第１トレイ位置と前記第１トレイ位置における状態よりも前記筐体に対して開いた第２トレイ位置とに回動可能に設けられ、前記第２トレイ位置に位置するときに、前記搬送路から排出される前記シートを受け取るように構成される受取トレイと、
前記受取トレイの前記第１トレイ位置から前記第２トレイ位置への回動に伴って、前記可動脚を前記第１位置から前記第２位置に移動させるように構成される移動機構とを備える、請求項３に記載の画像読取装置。
【請求項６】
前記移動機構は、前記受取トレイの前記第１トレイ位置と前記第２トレイ位置との間での回動に伴って回動するピニオンギヤと、上下方向に移動可能に設けられ、その下端部が前記可動脚に接続され、前記ピニオンギヤと噛合するラックギヤを有するラックギヤ部とを備える、請求項５に記載の画像読取装置。
【請求項７】
前記第２支持部は、前記筐体に対して着脱可能に設けられ、前記第１位置で前記搬送路に送り込まれる前記シートが載置されるように構成され、前記第２位置で前記筐体の底面の下方に配置可能な供給トレイである、請求項２に記載の画像読取装置。
【請求項８】
シートが搬送されるように構成される直線状の搬送路が形成された筐体と、
前記シートを前記搬送路において搬送するように構成される搬送部材と、
前記搬送路が水平方向に対して傾斜する第１状態において、前記筐体を支持するように構成される第１支持部と、
前記第１状態よりも前記搬送路が前記水平方向に近づく第２状態において、前記筐体を支持するように構成される第２支持部とを備える、シート搬送装置。
【発明の詳細な説明】
【技術分野】
【０００１】
本発明は、シートを搬送するためのシート搬送装置および画像読取装置に関する。
【背景技術】
【０００２】
たとえば、イメージスキャナには、シートを搬送するシート搬送装置が備えられている。イメージスキャナでは、シート搬送装置により、シートがシート搬送路を搬送される途中で、画像読取部により、シートの画像が読み取られる。
【０００３】
特許文献１に開示されている画像読取装置では、シート搬送路が第１シート搬送路と第２シート搬送路とから構成されている。第１シート搬送路は、上下方向に延びている。第２シート搬送路は、第１シート搬送路の下端から略水平方向に延びている。シートは、第１シート搬送路および第２シート搬送路の順に搬送される。その途中、シートは、第１シート搬送路と第２シート搬送路との間で湾曲しながら、その搬送方向が変更される。
【先行技術文献】
【特許文献】
【０００４】
【特許文献１】特開２００３−８７４９９号公報
【発明の概要】
【発明が解決しようとする課題】
【０００５】
ところが、カードなどのこしの強いシートは、うまく湾曲せず、第１シート搬送路と第２シート搬送路との接続部分でジャムを起こすことがある。
【０００６】
これを解決するために、シート搬送路を直線に構成することが考えられる。しかしながら、シート搬送路を略水平方向に沿うように設けると、シート搬送装置の専有面積が大きくなる。シート搬送路を水平方向に対して傾斜させると、シートの排出時に、シートの先端が画像読取装置の載置される床面または原稿排出トレイなどにぶつかり易くなる。その結果、シートの先端が折れ曲がるおそれがある。また、シートのこしが強い場合、ジャムを起こすおそれがある。
【０００７】
本発明の目的は、装置の大型化を抑えることができながら、こしの強いシートも良好に搬送することができる、画像読取装置およびシート搬送装置を提供することである。
【課題を解決するための手段】
【０００８】
前記の目的を達成するため、本発明に係る画像読取装置は、シートが搬送されるように構成される直線状の搬送路が形成された筐体と、前記シートを前記搬送路において搬送するように構成される搬送部材と、前記シートの画像を読み取るように構成される読取部と、前記搬送路が水平方向に対して傾斜する第１状態において、前記筐体を支持するように構成される第１支持部と、前記第１状態よりも前記搬送路が前記水平方向に近づく第２状態において、前記筐体を支持するように構成される第２支持部とを備える。
【０００９】
筐体が第１支持部に支持される第１状態において、搬送路が水平方向に対して傾斜する。そのため、装置の大型化を抑えることができる。
【００１０】
また、筐体が第２支持部に支持される第２状態において、搬送路が第１状態よりも水平方向に近づく。こしの強いシートを搬送する場合に、筐体を第２状態にすることにより、シート排出の際に、画像読取装置が設置されている床面などにシートの先端部が搬送方向に衝突することが回避される。よって、こしの強いシートを良好に搬送することができる。
【００１１】
第２支持部は、第１支持部により第１状態の筐体が支持される第１位置と、第２状態の筐体を支持する第２位置とに移動可能に設けられていてもよい。
【００１２】
これにより、第１支持部により、第１状態の筐体を安定に支持することができる。また、第２支持部は、第２位置において、第２状態の筐体を安定に支持することができる。
【００１３】
第２支持部は、筐体の底面に設けられ、第１位置で筐体内に収容され、第２位置で筐体の底面から下方に突出する可動脚であってもよい。
【００１４】
この構成によれば、第２支持部は、第１位置に位置するときに、筐体内に収容される。このとき、第２支持部は、第１支持部による筐体の支持を阻害しない。第２支持部が第１位置から第２位置に移動されることにより、第２支持部が筐体の底面から下方に突出する。この状態において、第２支持部により、第２状態の筐体を下方から安定に支持することができる。
【００１５】
可動脚を第２位置から第１位置に向かう方向に付勢するように構成される付勢部材を備えていてもよい。
【００１６】
これにより、可動脚である第２支持部を第２位置から第１位置に容易に移動させることができる。
【００１７】
第１トレイ位置と第１トレイ位置における状態よりも筐体に対して開いた第２トレイ位置とに回動可能に設けられ、第１トレイ位置に位置するときに、搬送路から排出されるシートを受け取るように構成される受取トレイと、受取トレイの第１トレイ位置から第２トレイ位置への回動に伴って、可動脚を第１位置から第２位置に移動させるように構成される移動機構とを備えていてもよい。
【００１８】
この構成によれば、画像読取装置の非使用時に、受取トレイは、第１トレイ位置に位置される。一方、画像読取装置の使用時には、受取トレイは、第１トレイ位置における状態よりも筐体に対して開いた第２トレイ位置に位置される。受取トレイの第１トレイ位置から第２トレイ位置への回動に伴って、移動機構により、可動脚が第１位置から第２位置に移動される。そのため、画像読取装置の使用時に、可動脚を移動させる操作を簡略化することができる。
【００１９】
移動機構は、受取トレイの第１トレイ位置と第２トレイ位置との間での回動に伴って回動するピニオンギヤと、上下方向に移動可能に設けられ、その下端部が可動脚に接続され、ピニオンギヤと噛合するラックギヤを有するラックギヤ部とを備えていてもよい。
【００２０】
これにより、受取トレイの回動に伴って、可動脚を上下方向に良好に移動させることができる。
【００２１】
第２支持部は、筐体に対して着脱可能に設けられ、第１位置で搬送路に送り込まれるシートが載置され、第２位置で筐体の底面の下方に配置される供給トレイであってもよい。
【００２２】
この構成によれば、筐体の底面の下方に配置される第２支持部により、第２状態の筐体を安定して支持することができる。
【００２３】
また、前記の目的を達成するため、本発明に係るシート搬送装置は、シートが搬送されるように構成される直線状の搬送路が形成された筐体と、前記シートを前記搬送路において搬送するように構成される搬送部材と、前記搬送路が水平方向に対して傾斜する第１状態において、前記筐体を支持するように構成される第１支持部と、前記第１状態よりも前記搬送路が前記水平方向に近づく第２状態において、前記筐体を支持するように構成される第２支持部とを備える。
【００２４】
筐体が第１支持部に支持される第１状態において、搬送路が水平方向に対して傾斜する。そのため、装置の大型化を抑えることができる。
【００２５】
また、筐体が第２支持部に支持される第２状態において、搬送路が第１状態よりも水平方向に近づく。こしの強いシートを搬送する場合に、筐体を第２状態にすることにより、シート排出の際に、画像読取装置が設置されている床面などにシートの先端部が搬送方向に衝突することが回避される。よって、こしの強いシートを良好に搬送することができる。
【発明の効果】
【００２６】
本発明によれば、搬送路が水平方向に対して傾斜する第１状態において、装置の大型化を抑えることができる。また、搬送路が第１状態よりも水平方向に近づく第２状態において、こしの強いシートを良好に搬送することができる。
【図面の簡単な説明】
【００２７】
【図１】図１は、本発明の一実施形態に係る画像読取装置１の斜視図であり、前カバー２１が第１開位置に位置し、上カバー２２が伸長位置に位置し、筐体２が第１支持部９１Ａおよび第１支持部９１Ｂ等に支持される第１状態を示す。
【図２Ａ】図２Ａは、画像読取装置１を左から見て、内部構成を模式的に示した説明図であり、前カバー２１が閉位置に位置し、上カバー２２が屈曲位置に位置し、筐体２が第１支持部９１Ｃおよび第１支持部９１Ｄ等に支持される第１状態を示す。
【図２Ｂ】図２Ｂは、画像読取装置１を左から見て、内部構成を模式的に示した説明図であり、前カバー２１が第１開位置に位置し、上カバー２２が伸長位置に位置し、筐体２が第１支持部９１Ｃおよび第１支持部９１Ｄ等に支持される第１状態を示す。
【図２Ｃ】図２Ｃは、画像読取装置１を左から見て、内部構成を模式的に示した説明図であり、前カバー２１が第２開位置に位置し、上カバー２２が伸長位置に位置し、筐体２が第２支持部１０１Ｂ等に支持される第２状態を示す。
【図３Ａ】図３Ａは、画像読取装置２００を左から見て、内部構成を模式的に示した説明図であり、前カバー２１が第１開位置に位置し、上カバー２２が伸長位置に位置し、筐体２が第１支持部９１Ｃおよび第１支持部９１Ｄ等に支持される第１状態を示す。
【図３Ｂ】図３Ｂは、画像読取装置２００を左から見て、内部構成を模式的に示した説明図であり、前カバー２１が第２開位置に位置し、上カバー２２が伸長位置に位置し、筐体２が第２支持部２０１に支持される第２状態を示す。
【図４Ａ】図４Ａは、画像読取装置３００を左から見て、内部構成を模式的に示した説明図であり、前カバー２１が第１開位置に位置し、上カバー２２が伸長位置に位置し、筐体２が第１支持部９１Ｃおよび第１支持部９１Ｄ等に支持される第１状態を示す。
【図４Ｂ】図４Ｂは、画像読取装置３００を左から見て、内部構成を模式的に示した説明図であり、前カバー２１が第２開位置に位置し、上カバー２２が伸長位置に位置し、筐体２が供給トレイ３０１に支持される第２状態を示す。
【図５Ａ】図５Ａは、画像読取装置４００を左から見て、内部構成を模式的に示した説明図であり、前カバー２１が第１開位置に位置し、上カバー２２が伸長位置に位置し、筐体２が第１底面４３１に支持される第１状態を示す。
【図５Ｂ】図５Ｂは、画像読取装置４００を左から見て、内部構成を模式的に示した説明図であり、前カバー２１が第２開位置に位置し、上カバー２２が伸長位置に位置し、筐体２が第２底面４３３に支持される第２状態を示す。
【発明を実施するための形態】
【００２８】
以下では、本発明の実施の形態について、添付図面を参照しつつ詳細に説明する。
【００２９】
画像読取装置１は、本発明の画像読取装置およびシート搬送装置の具体的態様の一例である。図１では、受取トレイ４側を画像読取装置１の前側と規定し、その前側から画像読取装置１を見た場合に左手に来る側を左側と規定して、前後、左右および上下の各方向を表示する。
【００３０】
＜外観＞
【００３１】
画像読取装置１は、筐体２、供給トレイ３および受取トレイ４を備える。
【００３２】
筐体２は、本体部１０、左側板部１１および右側板部１２を備える。
【００３３】
左側板部１１および右側板部１２は、左右方向に間隔を空けて配置されている。本体部１０は、左側板部１１と右側板部１２との間に配置されている。本体部１０は、上部筐体１０Ａと下部筐体１０Ｂとを備える。上部筐体１０Ａは、下部筐体１０Ｂの上方に配置されている。
【００３４】
右側板部１２は、図１に示すように、その底面１２Ｂにおいて、第１支持部９１Ａおよび第１支持部９１Ｂを備えている。第１支持部９１Ａおよび第１支持部９１Ｂは、それぞれ底面１２Ｂの前端部および後端部に設けられている。第１支持部９１Ａおよび第１支持部９１Ｂは、底面１２Ｂから下方に突出している。左側板部１１は、図２Ａなどに示すように、その底面１１Ｂにおいて、第１支持部９１Ｃおよび第１支持部９１Ｄを備えている。第１支持部９１Ｃおよび第１支持部９１Ｄは、それぞれ底面１１Ｂの前端部および後端部に設けられている。第１支持部９１Ｃおよび第１支持部９１Ｄは、底面１１Ｂから下方に突出している。第１支持部９１Ａおよび第１支持部９１Ｂは、底面１２Ｂからの突出量が等しい。第１支持部９１Ｃおよび第１支持部９１Ｄは、底面１１Ｂからの突出量が等しい。また、第１支持部９１Ａおよび第１支持部９１Ｂの突出量と第１支持部９１Ｃおよび第１支持部９１Ｄの突出量とが等しい。
【００３５】
供給トレイ３は、本体部１０の下部筐体１０Ｂの後上端部から後上方に延びるように、本体部１０に対して取り付けられている。供給トレイ３は、シートＳＨが載置されるトレイをなす。
【００３６】
受取トレイ４は、前カバー２１および上カバー２２を備えている。
【００３７】
前カバー２１の基端部は、左側板部１１および右側板部１２の前下端部に、回動軸２３を支点として回動可能に支持されている。これにより、前カバー２１は、図２Ａに示される閉位置と図２Ｃに示される第２開位置との間で、本体部１０の下部筐体１０Ｂに回動可能に設けられている。
【００３８】
前カバー２１は、閉位置で、上部筐体１０Ａおよび下部筐体１０Ｂの前面１０Ｆに前方から重なる。
【００３９】
また、前カバー２１は、図２Ｂに示される第１開位置で、本体部１０の下部筐体１０Ｂの前下端部から前方に延びる。前カバー２１は、図２Ａに示す閉位置および図２Ｂに示す第１開位置における状態よりも図２Ｃに示されるように筐体２に対して開いた第２開位置で、本体部１０の下部筐体１０Ｂの前下端部から前方に延びる。
【００４０】
上カバー２２は、図２Ａに示される屈曲位置と図２Ｂおよび図２Ｃに示される伸張位置との間で、非図示の回動軸を支点として、回動可能に設けられている。
【００４１】
また、上カバー２２は、図２Ａに示されるように、前カバー２１が閉位置に位置し、上カバー２２が屈曲位置に位置する状態で、本体部１０の上部筐体１０Ａの上面１０Ｕに上方から重なる。前カバー２１が第１開位置または第２開位置に位置し、上カバー２２が伸張位置に位置する状態で、上カバー２２は、図２Ｂまたは図２Ｃに示されるように、前カバー２１の前端部から前上方に延びる。
【００４２】
＜本体部＞
【００４３】
上部筐体１０Ａと下部筐体１０Ｂとの間に、シート導入口４１が形成される。詳細には、上部筐体１０Ａの下面３１Ｂの後端縁と下部筐体１０Ｂの上面３２Ｕの後端縁との間に、シート導入口４１が形成される。上部筐体１０Ａと下部筐体１０Ｂとの間に、シート排出口４２が形成される。詳細には、下面３１Ｂの前端縁と上面３２Ｕの前端縁との間に、シート排出口４２が形成される。
【００４４】
上部筐体１０Ａと下部筐体１０Ｂとの間に、シート搬送路４３が形成される。詳細には、上部筐体１０Ａの下面３１Ｂと下部筐体１０Ｂの上面３２Ｕとの間に、シート導入口４１からシート排出口４２に至るシート搬送路４３が形成されている。上部筐体１０Ａの下面３１Ｂは、略平面に形成されている。下部筐体１０Ｂの上面３２Ｕは、略平面に形成されている。下部筐体１０Ｂの上面３２Ｕは、上部筐体１０Ａの下面３１Ｂと略平行である。そのため、シート搬送路４３は、直線状に延びている。なお、本開示において、「直線状」とは、略直線状を示す。すなわち、たとえば、シート搬送路４３は、その一部がこしの強いシートＳＳを搬送可能な程度に屈曲していてもよい。また、下部筐体１０Ｂの上面３２Ｕは、図２Ａに示す状態において、後側が前側より高い傾斜した略平面状を有し、上部筐体１０Ａの下面３１Ｂは、下部筐体１０Ｂの上面３２Ｕの傾斜に略平行な略平面状を有する。そのため、シート搬送路４３は、図２Ａに示す状態において、後側が前側よりも高くなるように傾斜している。すなわち、筐体２は、シート搬送路４３が水平方向に対して傾斜する第１状態に位置し得る。
【００４５】
このように、画像読取装置１は、シートＳＨおよびこしの強いシートＳＳが搬送される直線状のシート搬送路４３が形成された筐体２を備えている。
【００４６】
また、画像読取装置１は、本体部１０に、供給ローラ３３、分離片３４、ＬＦローラ３５、ＬＦピンチローラ３６、読取部６０、読取部６１、排出ローラ３７および排出ピンチローラ３８を備えている。
【００４７】
供給ローラ３３は、下部筐体１０Ｂに回転可能に設けられた回転軸５１に取り付けられている。供給ローラ３３は図示しないモータに駆動されて回転する。
【００４８】
分離片３４は、たとえば、ゴムからなる。分離片３４の基端部は、上部筐体１０Ａに取り付けられている。分離片３４の遊端部は、供給ローラ３３の周面に前上方から弾性的に当接している。供給トレイ３に載置された複数のシートＳＨは、分離片３４および供給ローラ３３により一枚ずつ分離されてシート搬送路４３に供給され得る。
【００４９】
ＬＦローラ３５は、シート搬送路４３において、供給ローラ３３の下流側に配置される。ＬＦローラ３５は、下部筐体１０Ｂに回転可能に設けられた回転軸５２に取り付けられている。
【００５０】
ＬＦピンチローラ３６は、ＬＦローラ３５の上方に設けられている。また、ＬＦピンチローラ３６は、上部筐体１０Ａに取り付けられた回転軸５３に対し回転可能に取り付けられている。ＬＦローラ３５およびＬＦピンチローラ３６は、シートＳＨをシート搬送路４３において搬送する。
【００５１】
読取部６０は、シート搬送路４３において、ＬＦローラ３５の下流側に配置される。読取部６０は、下部筐体１０Ｂに形成された開口６６に嵌められている。読取部６０は、密着型イメージセンサ（Contact Image Sensor、以後「ＣＩＳ」と記す）とコンタクトガラス６４と、を備える。読取部６０は、ＣＩＳ等とともにＣＩＳを保持するＣＩＳホルダを備えていてもよい。
【００５２】
読取部６１は、読取部６０の上方に配置される。読取部６１は、上部筐体１０Ａに形成された開口６７に嵌められている。読取部６１は、ＣＩＳとコンタクトガラス６５と、を備える。読取部６０は、ＣＩＳ等とともにＣＩＳを保持するＣＩＳホルダを備えていてもよい。読取部６０および読取部６１は、シート搬送路４３を搬送されるシートＳＨの両面の画像を読み取る。
【００５３】
排出ローラ３７は、シート搬送路４３において、読取部６０の下流側に配置される。排出ローラ３７は、下部筐体１０Ｂに回転可能に設けられた回転軸５４に取り付けられている。
【００５４】
排出ピンチローラ３８は、排出ローラ３７の上方に設けられている。また、排出ピンチローラ３８は、上部筐体１０Ａに取り付けられた回転軸５５に対し回転可能に取り付けられている。排出ローラ３７および排出ピンチローラ３８は、シート搬送路４３において搬送されるシートＳＨを、筐体２の外部へ排出する。
【００５５】
このようにして、搬送部材の一例としての供給ローラ３３、ＬＦローラ３５、ＬＦピンチローラ３６、排出ローラ３７および排出ピンチローラ３８等により、シートＳＨは、シート搬送路４３を搬送され、その画像が読み取られる。
【００５６】
＜第２支持部＞
【００５７】
筐体２は、凹部１０３Ａおよび凹部１０３Ｂを有している。凹部１０３Ａおよび凹部１０３Ｂは、それぞれ右側板部１２の底面１２Ｂおよび左側板部１１の底面１１Ｂにおいて、第１支持部９１Ａおよび第１支持部９１Ｃの後方に形成されている。凹部１０３Ａおよび凹部１０３Ｂは、互いに左右方向に重なる位置に形成されている。
【００５８】
回動軸１０２Ａおよび回動軸１０２Ｂがそれぞれ凹部１０３Ａおよび凹部１０３Ｂ内に設けられている。回動軸１０２Ａおよび回動軸１０２Ｂは、左右方向に延び、それぞれ凹部１０３Ａおよび凹部１０３Ｂの左右の側面に回動可能に保持されている。
【００５９】
画像読取装置１は、第２支持部１０１Ａおよび第２支持部１０１Ｂを備えている。第２支持部１０１Ａおよび第２支持部１０１Ｂは、第１支持部９１Ａおよび第１支持部９１Ｂの突出量ならびに第１支持部９１Ｃおよび第１支持部９１Ｄの突出量よりも長く形成されている。第２支持部１０１Ａおよび第２支持部１０１Ｂは、それぞれ、その基端部が右側板部１２および左側板部１１に、回動軸１０２Ａおよび回動軸１０２Ｂを支点として回動可能に支持されている。第２支持部１０１Ｂは、図２Ｂに示される第１位置と図２Ｃに示される第２位置との間で回動可能に設けられている。第２支持部１０１Ａも同様に第１位置と第２位置との間で回動可能に設けられている。
【００６０】
第２支持部１０１Ａおよび第２支持部１０１Ｂは、それぞれ、第１位置に位置するときに、凹部１０３Ａおよび凹部１０３Ｂに収容される。第２支持部１０１Ａおよび第２支持部１０１Ｂが図２Ｂに示される第１位置に位置する場合、筐体２は、第１支持部９１Ａ、第１支持部９１Ｂ、第１支持部９１Ｃおよび第１支持部９１Ｄによって支持される。第２支持部１０１Ａおよび第２支持部１０１Ｂが図２Ｂに示される第１位置に位置する場合、筐体２は、シート搬送路４３が水平方向に対して傾斜する第１状態にある。
【００６１】
第２支持部１０１Ａおよび第２支持部１０１Ｂが図２Ｃに示される第２位置に位置する場合、筐体２は、第２支持部１０１Ａおよび第２支持部１０１Ｂにより支持される。このとき、第２支持部１０１Ａおよび第２支持部１０１Ｂは、第１支持部９１Ａおよび第１支持部９１Ｂの突出量ならびに第１支持部９１Ｃおよび第１支持部９１Ｄの突出量よりも長く形成されていることから、たとえば、床面ＦＬが水平な場合、第１支持部９１Ａおよび第１支持部９１Ｃは、床面ＦＬから離間する。また、第１支持部９１Ｄは、たとえば、図２Ｃに示すように前側が後側よりも高い位置に位置するように傾斜した状態となる。第１支持部９１Ｂも同様に図２Ｃに示す第１支持部９１Ｄのように、たとえば、前側が後側よりも高い位置に位置するように傾斜した状態となる。そして、第２支持部１０１Ａおよび第２支持部１０１Ｂは、第１支持部９１Ａおよび第１支持部９１Ｂの突出量ならびに第１支持部９１Ｃおよび第１支持部９１Ｄの突出量よりも長いため、筐体２は、前側が後側よりも高い位置に位置するように傾く。シート搬送路４３は、図２Ｂで示した状態では、後側が前側よりも高くなるように傾斜していたが、図２Ｃに示す状態では、筐体２の前側がより高い位置に位置するように傾くため、シート搬送路４３の傾斜が水平に近づく。すなわち、筐体２は、第２支持部１０１Ａおよび第２支持部１０１Ｂが図２Ｃに示される第２位置に位置する場合、シート搬送路４３が第１状態よりも水平方向に近づく第２状態にされる。
【００６２】
また、画像読取装置１は、コイルばね１０４Ａおよびコイルばね１０４Ｂを備えている。コイルばね１０４Ａおよびコイルばね１０４Ｂは、それぞれ、回動軸１０２Ａおよび回動軸１０２Ｂに巻回されている。コイルばね１０４Ａおよびコイルばね１０４Ｂの一端部は、それぞれ、下部筐体１０Ｂに取り付けられている。コイルばね１０４Ａおよびコイルばね１０４Ｂの他端部は、それぞれ、第２支持部１０１Ａおよび第２支持部１０１Ｂに取り付けられている。第２支持部１０１Ａおよび第２支持部１０１Ｂは、それぞれ、コイルばね１０４Ａおよびコイルばね１０４Ｂの付勢力により、第２位置から第１位置に向かう方向に付勢されている。
【００６３】
すなわち、第２支持部１０１Ｂおよび第２支持部１０１Ａは、それぞれ、左側板部１１の底面１１Ｂおよび右側板部１２の底面１２Ｂに設けられ、第１位置で左側板部１１の底面１１Ｂおよび右側板部１２の底面１２Ｂに設けられた凹部１０３Ｂおよび凹部１０３Ａ内に収容され、第２位置で左側板部１１の底面１１Ｂおよび右側板部１２の底面１２Ｂから下方に突出する可動脚である。
【００６４】
そして、第２支持部１０１Ａおよび第２支持部１０１Ｂは、第１支持部９１Ａ、第１支持部９１Ｂ、第１支持部９１Ｃおよび第１支持部９１Ｄにより筐体２が支持される第１位置と、第２状態の筐体２を支持する第２位置とに移動可能に設けられている。また、第２支持部１０１Ａおよび第２支持部１０１Ｂは、第１位置において、それぞれ、凹部１０３Ａおよび凹部１０３Ｂに収容されるため、画像読取装置１が水平な床面ＦＬに設置される場合、筐体２は、第１状態において、床面ＦＬから第１支持部９１Ａ、第１支持部９１Ｂ、第１支持部９１Ｃおよび第１支持部９１Ｄの高さだけ離れた位置にて第１支持部９１Ａ、第１支持部９１Ｂ、第１支持部９１Ｃおよび第１支持部９１Ｄにより支持される。
【００６５】
＜通常のシートの読み取り＞
【００６６】
画像読取装置１における通常のシートＳＨの画像の読み取りの際には、たとえば、筐体２は、第１支持部９１Ａ、第１支持部９１Ｂ、第１支持部９１Ｃおよび第１支持部９１Ｄによって支持され、シート搬送路４３が水平方向に対して傾斜する第１状態にされる。前カバー２１は、図２Ｂに示されるように、第１開位置に位置されるとともに、上カバー２２が伸長位置に配置される。そして、供給トレイ３上にシートＳＨが載置される。
【００６７】
供給トレイ３上に載置されたシートＳＨは、その先端部が供給ローラ３３および分離片３４に当接するまで、シート導入口４１内に差し込まれる。
【００６８】
その後、供給ローラ３３、ＬＦローラ３５および排出ローラ３７が左側から見て反時計回りに回転される。この供給ローラ３３の回転により、供給ローラ３３の周面からシートＳＨの下面に搬送力が付与され、シートＳＨがＬＦローラ３５およびＬＦピンチローラ３６に向けて搬送される。また、シートＳＨの先端部が供給ローラ３３と分離片３４との間に挟まれたときに、シートＳＨが１枚ずつに分離され得る。
【００６９】
供給ローラ３３と分離片３４との間を通過したシートＳＨの先端部がＬＦローラ３５に到達すると、ＬＦローラ３５によりシートＳＨに搬送力が付与される。
【００７０】
ＬＦローラ３５とＬＦピンチローラ３６と間を通過したシートＳＨは、読取部６０および読取部６１へ搬送される。読取部６０および読取部６１により、シートＳＨの両面に描かれている画像が読み取られる。
【００７１】
シートＳＨの先端部が排出ローラ３７に到達すると、排出ローラ３７からシートＳＨに搬送力が付与される。
【００７２】
排出ローラ３７と排出ピンチローラ３８との間を搬送されるシートＳＨは、シート排出口４２を通過して、前カバー２１に向けて排出される。このとき、図２Ｂに示されるように、前カバー２１は、第１開位置に位置しながら略水平方向に延びている。そのため、シート搬送路４３の延長線と前カバー２１の延長線とは、角度をなして交差する。これにより、シートＳＨは、シートＳＨの先端部が前カバー２１に当接した後に、前カバー２１に沿って屈曲される。
【００７３】
＜こしの強いシートの読み取り＞
【００７４】
画像読取装置１では、通常のシートＳＨよりもこしの強い材質、たとえばプラスチックからなるカードのようなシートＳＳの表面の画像を読み取ることができる。
【００７５】
画像読取装置１におけるこしの強いシートＳＳの画像の読み取りの際には、第２支持部１０１Ａおよび第２支持部１０１Ｂが第２位置に移動され、筐体２は、第２支持部１０１Ａおよび第２支持部１０１Ｂによって支持され、シート搬送路４３が第１状態よりも水平方向に近づく第２状態にされる。前カバー２１は、図２Ｃに示されるように、第２開位置に位置されるとともに、上カバー２２が伸長位置に配置される。そして、供給トレイ３上にシートＳＳが載置される。
【００７６】
供給トレイ３上に載置されたシートＳＳは、その先端部が供給ローラ３３および分離片３４に当接するまで、シート導入口４１内に差し込まれる。
【００７７】
その後、供給ローラ３３、ＬＦローラ３５および排出ローラ３７が左側から見て反時計回りに回転される。この供給ローラ３３の回転により、供給ローラ３３の周面からシートＳＳの下面に搬送力が付与され、シートＳＳがＬＦローラ３５およびＬＦピンチローラ３６に向けて搬送される。
【００７８】
供給ローラ３３と分離片３４との間を通過したシートＳＳの先端部がＬＦローラ３５に到達すると、ＬＦローラ３５によりシートＳＳに搬送力が付与される。
【００７９】
ＬＦローラ３５とＬＦピンチローラ３６との間を通過したシートＳＳは、読取部６０および読取部６１へ搬送される。読取部６０および読取部６１により、シートＳＳの両面に描かれている画像が読み取られる。
【００８０】
シートＳＳの先端部が排出ローラ３７に到達すると、排出ローラ３７からシートＳＳに搬送力が付与される。
【００８１】
排出ローラ３７と排出ピンチローラ３８との間を搬送されるシートＳＳは、シート排出口４２を通過して、前カバー２１に向けて排出される。このとき、図２Ｃに示されるように、前カバー２１は、第２開位置に位置しながらシート搬送路４３に略平行な方向に延びている。そのため、図２Ａにおいて示したようにシート搬送路４３の延長線と前カバー２１の延長線とが角度をなして交差する場合と比較して、こしの強いシートＳＳが、前カバー２１に衝突する可能性を低減できる。すなわち、シートＳＳを良好に排出することができる。
【００８２】
＜作用効果＞
【００８３】
筐体２が第１支持部９１Ａ、第１支持部９１Ｂ、第１支持部９１Ｃおよび第１支持部９１Ｄに支持される第１状態において、シート搬送路４３が水平方向に対して傾斜する。そのため、画像読取装置１の大型化を抑えることができる。
【００８４】
また、筐体２が第２支持部１０１Ａおよび第２支持部１０１Ｂに支持される第２状態において、シート搬送路４３が第１状態よりも水平方向に近づく。こしの強いシートＳＳを搬送する場合に、筐体２を第２状態にすることにより、シート排出の際に、画像読取装置１が設置されている床面などにシートＳＳの先端部が搬送方向に衝突することが抑制される。よって、こしの強いシートＳＳを良好に搬送することができる。
【００８５】
第２支持部１０１Ａおよび第２支持部１０１Ｂは、第１支持部９１Ａ、第１支持部９１Ｂ、第１支持部９１Ｃおよび第１支持部９１Ｄにより筐体２が支持される第１位置と、第２状態の筐体２を支持する第２位置とに移動可能に設けられている。
【００８６】
これにより、第１支持部９１Ａ、第１支持部９１Ｂ、第１支持部９１Ｃおよび第１支持部９１Ｄにより、第１状態の筐体２を安定に支持することができる。また、第２支持部１０１Ａおよび第２支持部１０１Ｂは、第２位置において、第２状態の筐体２を安定に支持することができる。
【００８７】
第２支持部１０１Ｂおよび第２支持部１０１Ａは、それぞれ、左側板部１１の底面１１Ｂおよび右側板部１２の底面１２Ｂに設けられ、第１位置で左側板部１１の底面１１Ｂおよび右側板部１２の底面１２Ｂに設けられた凹部１０３Ｂおよび凹部１０３Ａ内に収容され、第２位置で左側板部１１の底面１１Ｂおよび右側板部１２の底面１２Ｂから下方に突出する可動脚である。
【００８８】
この構成によれば、第２支持部１０１Ａおよび第２支持部１０１Ｂは、それぞれ、第１位置に位置するときに、凹部１０３Ａおよび凹部１０３Ｂ内に収容される。このとき、筐体２は、第１支持部９１Ａ、第１支持部９１Ｂ、第１支持部９１Ｃおよび第１支持部９１Ｄにより支持される。第２支持部１０１Ａおよび第２支持部１０１Ｂが第１位置から第２位置に移動されることにより、第２支持部１０１Ｂおよび第２支持部１０１Ａが、それぞれ、左側板部１１の底面１１Ｂおよび右側板部１２の底面１２Ｂから下方に突出する。この状態において、第２支持部１０１Ａおよび第２支持部１０１Ｂにより、第２状態の筐体２を下方から安定に支持することができる。
【００８９】
画像読取装置１は、可動脚である第２支持部１０１Ａおよび第２支持部１０１Ｂを、それぞれ、第２位置から第１位置に向かう方向に付勢するように構成されるコイルばね１０４Ａおよびコイルばね１０４Ｂを備えている。
【００９０】
これにより、可動脚である第２支持部１０１Ａおよび第２支持部１０１Ｂを第２位置から第１位置に容易に移動させることができる。
【００９１】
＜第２実施形態＞
【００９２】
図２Ａ，２Ｂ，２Ｃに示される構成に代えて、図３Ａ，３Ｂに示される構成が採用されてもよい。
【００９３】
なお、図３Ａ，３Ｂでは、図２Ａ，２Ｂ，２Ｃに示される各部に相当する部分には、それらの各部と同一の参照符号が付されている。また、以下では、図３Ａ，３Ｂに示される構成について、図２Ａ，２Ｂ，２Ｃに示される構成との相違点のみを説明し、図２Ａ，２Ｂ，２Ｃに示される各部と同一の参照符号が付された部分の説明を省略する。
【００９４】
画像読取装置２００は、受取トレイ４と移動機構ＭＳとを備える。図３Ａに示されるように、前カバー２１が第１開位置に位置し、上カバー２２が伸張位置に位置する状態で、受取トレイ４が第１トレイ位置に位置する。図３Ｂに示されるように、前カバー２１が第２開位置に位置し、上カバー２２が伸張位置に位置する状態で、受取トレイ４が第１トレイ位置における状態よりも筐体２に対して開いた第２トレイ位置に位置する。移動機構ＭＳは、受取トレイ４の第１トレイ位置と第２トレイ位置との間での回動、つまり、前カバー２１の第１開位置と第２開位置との間での回動に伴って、可動脚である第２支持部２０１を第１位置と第２位置との間で移動させる。
【００９５】
移動機構ＭＳは、ピニオンギヤ２０５と、ラックギヤ２０６と、を備える。ピニオンギヤ２０５は、受取トレイ４の第１トレイ位置と第２トレイ位置との間での回動に伴って回動する。ラックギヤ２０６は、上下方向に移動可能に設けられる。ラックギヤ２０６は、その下端部が第２支持部２０１に接続される。ラックギヤ２０６は、ピニオンギヤ２０５と噛合する。
【００９６】
具体的には、画像読取装置２００は、ギヤ２０４、ピニオンギヤ２０５、ラックギヤ２０６および第２支持部２０１をそれぞれ２個備えている。
【００９７】
２個のギヤ２０４は、回動軸２０２の左端部および右端部に取り付けられている。回動軸２０２は、左側板部１１と右側板部１２との間に跨がって、左右方向に延びている。回動軸２０２は、本体部１０、左側板部１１および右側板部１２に回動可能に保持されている。受取トレイ４の前カバー２１の基端部は、回動軸２０２に取り付けられ、回動軸２０２を支点として回動可能に支持されている。
【００９８】
ピニオンギヤ２０５は、回動軸２０７の左端部および右端部に取り付けられている。回動軸２０７は、回動軸２０２の後方に配置されている。回動軸２０７は、下部筐体１０Ｂの内部で左右方向に延び、下部筐体１０Ｂに回動可能に保持されている。ピニオンギヤ２０５の外周面に形成されているギヤ歯は、各ギヤ２０４の外周面に形成されているギヤ歯と噛合している。
【００９９】
２個のラックギヤ２０６は、左側板部１１の底面１１Ｂおよび右側板部１２の底面１２Ｂにそれぞれ形成された２個の凹部２０８に収容されている。２個の凹部２０８は、それぞれ第１支持部９１Ａおよび第１支持部９１Ｃの後方に形成されている。２個の凹部２０８は、互いに左右方向に重なる位置に形成されている。各ラックギヤ２０６は、前面にギヤ歯が形成されている。各ラックギヤ２０６のギヤ歯は、各ピニオンギヤ２０５の外周面に形成されているギヤ歯とそれぞれ噛合している。
【０１００】
２個の第２支持部２０１は、各ラックギヤ２０６の底面にそれぞれ備えられている。各第２支持部２０１は、凸状に形成されており、その先端部が各ラックギヤ２０６の底面に取り付けられている。
【０１０１】
以下の説明において、回動方向は、各部を左側から見たときを基準とする。
【０１０２】
受取トレイ４が図３Ａに示される第１トレイ位置に位置するときに、前カバー２１が第１開位置に位置し、各ラックギヤ２０６は、そのギヤ歯の上端部が各ピニオンギヤ２０５のギヤ歯と噛合している。
【０１０３】
受取トレイ４を図３Ａに示される第１トレイ位置から第１トレイ位置における状態よりも筐体２に対して開いた、図３Ｂに示される第２トレイ位置に回動させると、前カバー２１が第１開位置から第２開位置に回動されて、回動軸２０２が時計回りに回動する。これにより、回動軸２０２に取り付けられている各ギヤ２０４が時計回りに回動する。各ギヤ２０４の回動は、各ピニオンギヤ２０５に伝達される。各ピニオンギヤ２０５は、反時計回りに回動する。各ピニオンギヤ２０５の回動は、各ラックギヤ２０６に伝達される。これにより、各ラックギヤ２０６および各ラックギヤ２０６の底面に取り付けられた第２支持部２０１は、下方に移動する。その結果、第２支持部２０１は、左側板部１１の底面１１Ｂおよび右側板部１２の底面１２Ｂに設けられた凹部２０８内に収容されて、第１支持部９１Ａ、第１支持部９１Ｂ、第１支持部９１Ｃおよび第１支持部９１Ｄにより筐体２が支持される第１位置から左側板部１１の底面１１Ｂおよび右側板部１２の底面１２Ｂから下方に突出して、シート搬送路４３が第１状態よりも水平方向に近づく第２状態の筐体２を支持する第２位置に移動する。
【０１０４】
また、受取トレイ４を第２トレイ位置から第１トレイ位置に回動させると、前カバー２１が第２開位置から第１開位置に回動されて、回動軸２０２が反時計回りに回動する。これにより、回動軸２０２に取り付けられている各ギヤ２０４が反時計回りに回動する。各ギヤ２０４の回動は、各ピニオンギヤ２０５に伝達される。各ピニオンギヤ２０５は、時計回りに回動する。各ピニオンギヤ２０５の回動は、各ラックギヤ２０６に伝達される。これにより、各ラックギヤ２０６および各ラックギヤ２０６の底面に取り付けられた第２支持部２０１は、上方に移動する。その結果、第２支持部２０１は、左側板部１１の底面１１Ｂおよび右側板部１２の底面１２Ｂから下方に突出して、シート搬送路４３が第１状態よりも水平方向に近づく第２状態の筐体２を支持する第２位置から左側板部１１の底面１１Ｂおよび右側板部１２の底面１２Ｂに設けられた凹部２０８内に収容されて、第１支持部９１Ａ、第１支持部９１Ｂ、第１支持部９１Ｃおよび第１支持部９１Ｄにより筐体２が支持される第１位置に移動する。
【０１０５】
こしの強いシートＳＳを搬送する際には、受取トレイ４が図３Ａに示される第１トレイ位置から図３Ｂに示される第２トレイ位置に回動される。これにより、第２支持部２０１が第１位置から第２位置へ移動されて、筐体２は、筐体２が第２支持部２０１によって支持される第２状態にされる。このとき、シート搬送路４３が第１状態よりも水平方向に近づくため、こしの強いシートＳＳが前カバー２１に衝突する可能性を低減できる。すなわち、シートＳＳを良好に排出することができる。
【０１０６】
＜作用効果＞
【０１０７】
以上のように、受取トレイ４が図３Ａに示される第１トレイ位置から、第１トレイ位置における状態よりも筐体２に対して開いたトレイ位置である、図３Ｂに示される第２トレイ位置に移動されると、これに伴って、第２支持部２０１が第１位置から第２位置に移動する。また、受取トレイ４が第２開位置から第１開位置に移動されると、これに伴って、第２支持部２０１が第２位置から第１位置に移動する。そのため、使用者の手指で第２支持部２０１を移動させる操作を簡略化することができる。すなわち、たとえば、第２支持部２０１に使用者の手指で直接触れて第２支持部２０１を移動させるような手間を省き得る。
【０１０８】
＜第３実施形態＞
【０１０９】
図２Ａ，２Ｂ，２Ｃに示される構成に代えて、図４Ａ，４Ｂに示される構成が採用されてもよい。
【０１１０】
なお、図４Ａ，４Ｂでは、図２Ａ，２Ｂ，２Ｃに示される各部に相当する部分には、それらの各部と同一の参照符号が付されている。また、以下では、図４Ａ，４Ｂに示される構成について、図２Ａ，２Ｂ，２Ｃに示される構成との相違点のみを説明し、図２Ａ，２Ｂ，２Ｃに示される各部と同一の参照符号が付された部分の説明を省略する。
【０１１１】
画像読取装置３００は、回動軸３２１を備えている。回動軸３２１は、本体部１０の左側面および右側面の各後下端部に設けられている。各回動軸３２１は、互いに左右方向に重なる位置に配置され、左右方向に延びている。左右の回動軸３２１は、それぞれ左側板部１１および右側板部１２に回動可能に保持されている。これにより、本体部１０は、左側板部１１および右側板部１２に対して回動軸３２１を支点に回動可能に設けられている。
【０１１２】
供給トレイ３０１は、本体部１０に対して着脱可能に設けられている。供給トレイ３０１は、載置部３０２およびトレイ側板部３０３を備えている。
【０１１３】
供給トレイ３０１が本体部１０に取り付けられた状態で、載置部３０２は、本体部１０から後上方に延びる。
【０１１４】
供給トレイ３０１が本体部１０に取り付けられた状態で、トレイ側板部３０３は、載置部３０２の左右の両端部から上方に延びている。トレイ側板部３０３の上面は、後側ほど載置部３０２の上面に近づくように、載置部３０２の上面に対して傾斜している。
【０１１５】
こしの強いシートＳＳを搬送する際に、使用者の手指により、本体部１０の前端部が持ち上げられる。これにより、本体部１０が回動軸３２１を支点に左側から見て反時計回りに回動し、本体部１０の前端部の下方に空間ができる。一方、供給トレイ３０１が本体部１０から取り外される。そして、供給トレイ３０１は、トレイ側板部３０３の高さの低い側から本体部１０の下方に差し込まれる。これにより、本体部１０の前端部が供給トレイ３０１に支持される。
【０１１６】
このようにして、供給トレイ３０１は、筐体２に対して着脱可能に設けられ、図４Ａに示されるように、本体部１０に取り付けられている状態で第１位置に位置し、シート搬送路４３に送り込まれるシートＳＨが載置される。このとき、筐体２は、第１支持部９１Ａ、第１支持部９１Ｂ、第１支持部９１Ｃおよび第１支持部９１Ｄに支持されて、シート搬送路４３が水平方向に対して傾斜する第１状態である。また、供給トレイ３０１は、図４Ｂに示されるように、本体部１０から取り外されて本体部１０の底面１０Ｓの下方に配置されている状態で第２位置に位置し、本体部１０の前端部を下方から支持する。このとき、筐体２は、シート搬送路４３が第１状態よりも水平方向に近づく第２状態である。そのため、こしの強いシートＳＳを搬送する際に、供給トレイ３０１を本体部１０の底面１０Ｓの下方に配置することで、シートＳＳが前カバー２１に衝突する可能性を低減できる。すなわち、シートＳＳを良好に排出することができる。
【０１１７】
＜作用効果＞
【０１１８】
このように、供給トレイ３０１が本体部１０の底面１０Ｓの下方に配置されることにより、第２状態の筐体２の本体部１０を安定して支持することができる。
【０１１９】
＜第４実施形態＞
【０１２０】
図２Ａ，２Ｂ，２Ｃに示される構成に代えて、図５Ａ，５Ｂに示される構成が採用されてもよい。
【０１２１】
なお、図５Ａ，５Ｂでは、図２Ａ，２Ｂ，２Ｃに示される各部に相当する部分には、それらの各部と同一の参照符号が付されている。また、以下では、図５Ａ，５Ｂに示される構成について、図２Ａ，２Ｂ，２Ｃに示される構成との相違点のみを説明し、図２Ａ，２Ｂ，２Ｃに示される各部と同一の参照符号が付された部分の説明を省略する。
【０１２２】
画像読取装置４００は、筐体４０２を備える。
【０１２３】
筐体４０２は、本体部１０および左右一対の側板部４１１を備える。
【０１２４】
一対の側板部４１１は、左右方向に間隔を空けて配置されている。本体部１０は、一対の側板部４１１間に配置されている。
【０１２５】
各側板部４１１は、図５Ａに示す第１状態において、筐体４０２を支持する第１底面４３１を備えている。第１底面４３１は、シート搬送路４３に対して傾斜して延びている。
【０１２６】
また、各側板部４１１は、図５Ｂに示す第２状態において、筐体４０２を支持する第２底面４３３を備えている。第２底面４３３は、第１底面４３１に対して傾斜しており、シート搬送路４３と略平行に延びている。第２底面４３３は、図５Ａに示されるように、筐体４０２が第１底面４３１に支持されて、シート搬送路４３が水平方向に対して傾斜する第１状態で、第１位置に位置する。また、第２底面４３３は、図５Ｂに示されるように、筐体４０２が第２底面４３３に支持されて、シート搬送路４３が第１状態よりも水平方向に近づく第２状態で第２位置に位置している。そのため、こしの強いシートＳＳを搬送する際には、筐体４０２が第２底面４３３によって支持されることで、シートＳＳが前カバー２１に衝突する可能性を低減できる。すなわち、シートＳＳを良好に排出することができる。
【０１２７】
＜作用効果＞
【０１２８】
以上のように、画像読取装置１は、第１底面４３１および第２底面４３３を備えている。第１底面４３１は、第１状態において、筐体２を支持する。第２底面４３３は、第２状態において、筐体２を支持する。
【０１２９】
筐体２が第１底面４３１に支持される第１状態において、搬送路が水平方向に対して傾斜する。そのため、画像読取装置１の大型化を抑えることができる。
【０１３０】
また、筐体２が第２底面４３３に支持される第２状態において、シート搬送路４３が第１状態よりも水平方向に近づく。こしの強いシートＳＳを搬送する場合に、筐体２を第２状態にすることにより、シート排出の際に、本体部１０が設置されている床面などにシートＳＳの先端部が搬送方向に衝突することが回避される。よって、こしの強いシートＳＳを良好に搬送することができる
【０１３１】
＜変形例＞
【０１３２】
その他、前述の構成には、特許請求の範囲に記載された事項の範囲で種々の設計変更を施すことが可能である。
【０１３３】
たとえば、第１実施形態において、画像読取装置１は、第１支持部９１Ａ、第１支持部９１Ｂ、第１支持部９１Ｃおよび第１支持部９１Ｄを備えていた。しかし、これに限らず、下部筐体１０Ｂの底面が第１支持部としての機能を果たしてもよい。
【符号の説明】
【０１３４】
１        画像読取装置
２        筐体
２Ｂ      底面
４        受取トレイ
１０Ｓ    底面
１１Ｂ    底面
１２Ｂ    底面
３３      供給ローラ
３５      ＬＦローラ
３６      ＬＦピンチローラ
３７      排出ローラ
３８      排出ピンチローラ
４３      シート搬送路
９１Ａ    第１支持部
９１Ｂ    第１支持部
９１Ｃ    第１支持部
９１Ｄ    第１支持部
１０１Ａ  第２支持部
１０１Ｂ  第２支持部
１０４Ａ  コイルばね
１０４Ｂ  コイルばね
２０１    第２支持部
２０５    ピニオンギヤ
２０６    ラックギヤ
３０１    供給トレイ
４３１    第１底面
４３３    第２底面
ＳＨ      シート
ＳＳ      こしの強いシート
【図１】
2014086819.tif 000003
【図２Ａ】
2014086819.tif 000004
【図２Ｂ】
2014086819.tif 000005
【図２Ｃ】
2014086819.tif 000006
【図３Ａ】
2014086819.tif 000007
【図３Ｂ】
2014086819.tif 000008
【図４Ａ】
2014086819.tif 000009
【図４Ｂ】
2014086819.tif 000010
【図５Ａ】
2014086819.tif 000011
【図５Ｂ】
2014086819.tif 000012